(57)【要約】【課題】操作パネルのハードウェアボタンを減らし、操作パネルのスペースを有効に活用するとともに、コストを削減することができる画像処理装置を提供する。【解決手段】液晶表示器上で指を左から右へ直線的にスライドさせた場合には、コピーモード→ファクシミリモード→スキャナモードの順序で、順次、動作モードの切り替えができる。逆に、液晶表示器上で指を右から左へ直線的にスライドさせた場合には、コピーモード→スキャンモード→ファクシミリモードの順序で、順次、動作モードの切り替えができる。また、液晶表示器上で円弧を描くことにより、表示画面の輝度あるいは音声案内の音量を円弧の回転方向に応じて１段階アップまたはダウンさせることができる。【選択図】図５
2010009365.tif 000002
【特許請求の範囲】
【請求項１】
タッチパネルが配設された液晶表示器と、装置の設定を変更するとともに、前記液晶表示器に操作画面を表示する制御部とを備え、
前記制御部が、前記タッチパネル上での指の軌跡を判定し、判定された軌跡の種類に基づいて装置の設定を変更することを特徴とする画像処理装置。
【請求項２】
請求項１に記載された画像処理装置において、
前記制御部が、直線状の軌跡と円弧上の軌跡を判別し、さらに、その軌跡の方向も判別することを特徴とする画像処理装置。
【請求項３】
請求項２に記載された画像処理装置において、
直線状の軌跡と判定された場合、前記制御部が、軌跡の方向に応じて装置の動作モードを変更するとともに、当該動作モードに対応した操作画面を前記液晶表示器に表示することを特徴とする画像処理装置。
【請求項４】
請求項２に記載された画像処理装置において、
円弧上の軌跡と判定された場合、前記制御部が、前記液晶表示器の表示輝度を判定された軌跡の方向に応じて変化させることを特徴とする画像処理装置。
【請求項５】
請求項２に記載された画像処理装置において、
音声案内部を備え、前記音声案内部の動作中に、円弧上の軌跡と判定された場合、前記制御部が、音声案内の音量を軌跡の方向に応じて変化させることを特徴とする画像処理装置。
【発明の詳細な説明】
【技術分野】
【０００１】
本発明は、画像処理装置、特に、タッチパネルが配設された液晶表示器を備えた画像処理装置に関する。
【背景技術】
【０００２】
複写機能、ファクシミリ機能、プリント機能、スキャナ機能等を有する最近のデジタル複合機やコピー機等の画像処理装置では、近年、タッチパネルが配設された大型の液晶表示器を備えた装置が普及してきている。このような画像処理装置では、液晶表示器にボタンを表示し、ボタンが押下されたのをタッチパネルで検出することにより、設定などを受け付けるようにしている。
【０００３】
また、最近のデジタル複合機は、ファクシミリの送受信だけでなく、プリンタ等の他の機能と複合化されており、さらには、電子メールの機能を持つものなど様々な機能が追加されている。これらの機能の追加に伴って操作が複雑になってきており、ユーザはこれらの機能の選択を操作部のキー操作により行っているが、これらの機能を選択して使用するためには、取扱説明書を見ながら操作する必要がある。このように、取扱説明書を見ながらの操作は面倒なだけでなく、キー操作を行いにくいものであったので、各機能のガイダンス情報を音声出力することによって、装置の各機能の利用性を向上させているものがある（例えば、特許文献１参照）。
【特許文献１】特開平３−１４１７６３号公報
【０００４】
図８は、従来のタッチパネルが配設された液晶表示器を備えた画像処理装置の操作パネルを示す図であり、この操作パネルでは、液晶表示部４１に表示されたボタンを押下することにより、種々の設定ができる。また、コピー切替えキー４２、ファクス切替えキー４３、スキャナ切替えキー４４、プリンタ切替えキー４５のいずれかを押下することにより、動作モードをコピー、ファクス、スキャナまたはプリンタに切り替えることができる。このように、動作モードの変更により、液晶表示器４１に表示される操作画面も対応するモードの画面に切り替えられる。また、音声ガイダンス機能を有効とする場合には、音声案内ツマミ４６を押下することにより、音声案内がアクティブとなり、この音声案内ツマミ４６を左右に回すことにより、音声ガイダンスの音量を調整できる。
【発明の開示】
【発明が解決しようとする課題】
【０００５】
上記のように、従来の画像処理装置は、タッチパネルが配設された液晶表示器を備えているが、全てのボタンをタッチパネルで実現できるわけではなく、いくつかのキーはタクトスイッチを用いてハードウェア的に装備されている。例えば、「コピー」、「ファクス」、「スキャナ」機能は、上記のように、操作パネル上で別々のハードキーを押下することにより切り替えており、機能を切り替えるためにそれぞれにスイッチを用意している。このため、画像処理装置の操作パネルの基板上に実装されるスイッチの数が増えてスペースをとる、という問題が生じている。
【０００６】
また、音声ガイダンス機能を装備すると、音声ガイダンスの音量調節のための音量調節つまみを必要とし、操作パネル上のスペースをとるとともに、コストがかかる、という問題が生じる。
【０００７】
本発明は、上記の問題に鑑みてなされたもので、操作パネルのハードウェアボタンを減らし、操作パネルのスペースを有効活用するとともに、コストを削減できる画像処理装置を提供することを目的とする。
【課題を解決するための手段】
【０００８】
上述の目的を達成するため、本発明の画像処理装置は、液晶表示器に配設されたタッチパネルの出力信号により、液晶表示器上での指の軌跡を判定し、判定手段で判定された軌跡の種類に基づいて装置の設定を変更することを特徴とする。例えば、液晶表示器上での指の軌跡として、直線状の軌跡または円弧上の軌跡を判別し、その判別結果に応じて動作モード、液晶表示器の表示輝度、あるいは、音声の音量を変更するようにした。
【発明の効果】
【０００９】
本発明に係る画像処理装置によれば、例えば、液晶表示器上で指を左から右へ（または右から左へ）直線的になぞり、コピーモード、ファクシミリモード、スキャナモードを切り替えることができる。このため、モード切替えに専用のスイッチをひとつずつ割り当てる必要がなく、ハードウェアが節約できるとともに、操作パネルのスペースを有効に利用できる。また、液晶表示器上で円弧を描くことにより、表示画面の輝度や音声案内の音量等を変更でき、コストを削減できるとともに、アナログ的な感覚で調整することができる。
【実施例】
【００１０】
以下、本発明の画像処理装置を複写機能、ファクシミリ機能、プリント機能、スキャナ機能等を有するデジタル複合機に適用した実施例について説明する。図１はデジタル複合機のハードウェア構成を示す概略ブロック図であり、図に示すように、デジタル複合機はＭＰＵ（Micro Processing Unit）１、ＲＯＭ（Read Only Memory）２、ＳＲＡＭ（Static Random Access Memory）３、メモリコントローラ４、画像メモリ５、コーデック６、モデム７、ネットワーク制御ユニットＮＣＵ８、スキャナ９、操作パネル制御部１０、液晶表示器１１、タッチパネル１２、キーマトリクス１３、プリンタ１４、ＬＡＮインターフェース（Ｉ／Ｆ）１５等により構成され、各部がバス１６を介して接続されている。
【００１１】
ＭＰＵ１はバス１６を介してデジタル複合機のハードウェア各部を制御するとともに、ＲＯＭ２に記憶されたプログラムに基づいて各種のプログラムを実行する。ＲＯＭ２はデジタル複合機の動作に必要な種々のプログラムや操作メッセージ等を記憶し、ＳＲＡＭ３はプログラムの実行時に発生する一時的なデータを記憶する。
【００１２】
メモリコントローラ４は画像メモリ５への画像信号の書込み、読出しを制御し、画像メモリ５はＳＤＲＡＭ等を用いて構成され、送信すべき画像データまたは受信した画像データあるいは読み取った画像データを記憶する。また、コーデック６は所定のプロトコルに対応して画像データを符号化及び復号し、読み取った原稿の画像データを送信するためにＭＨ、ＭＲまたはＭＭＲ方式により符号化し、外部から受信した画像データを復号する。
【００１３】
モデム７はバス１６に接続されており、ファクシミリ通信が可能なファクスモデムとしての機能を有し、このモデム７は同様にバス１６に接続されたＮＣＵ８と接続されている。ＮＣＵ８はアナログ回線の閉結及び開放の動作を行うハードウェアであり、必要に応じてモデム７を公衆交換電話網（ＰＳＴＮ）に接続する。
【００１４】
スキャナ９は、オートドキュメントフィーダー（ＡＤＦ）またはフラットベッドスキャナ（ＦＢＳ）等の読取り用原稿載置台を備え、ＣＣＤ等を利用して原稿を読み取り、ドットイメージデータを出力する。また、操作パネル制御部１０は、液晶表示器１１にデジタル複合機の動作状態あるいは種々の機能の操作画面の表示を行うとともに、タッチパネル１２及び複数のキーよりなるキーマトリクス１３からキーの押下げ情報が入力される。
【００１５】
図２は液晶表示器１１、タッチパネル１２及びキーマトリクス１３よりなる操作パネルの一例であり、表示部を構成する液晶表示器１１と多数の操作キーから構成されている。液晶表示器１１には、タッチパネルスイッチ１２が配設され、液晶表示器１１に表示された項目部分を押下することにより、対応する項目の選択や機能を実行できる。
【００１６】
また、操作キーとして、テンキー２１、スタートキー２２、ストップキー２３、リセットキー２４、音声案内キー２５等の各種キーが設けられている。なお、液晶表示器１１によりこれらの操作キーの一部又は全部を代用することもできる。
【００１７】
プリンタ１４は電子写真方式等の記録装置であり、受信したデータ、コピー原稿データ等をプリントアウトする。また、ＬＡＮインターフェース１５はＬＡＮに接続され、ＬＡＮからの信号を受信する一方、ＬＡＮに対して信号やデータを送信するものであり、信号変換やプロトコル変換などのインターフェース処理を実行する。
【００１８】
一方、ＭＰＵ１には音声合成モジュール１７がシリアルバス１８を介して接続されており、音声合成モジュール１７はＭＰＵ１からの指令により指定された音声ガイダンスメッセージをスピーカ（図示せず）から出力する。
【００１９】
デジタル複合機は上記のような構成を備えており、ファクシミリ送信時には、原稿の画像データがスキャナ９により読み取られ、読み取られた画像信号がコーデック６で圧縮されてメモリコントローラ４を介して画像メモリ５に蓄積される。この圧縮された画像データが画像メモリ５から読み出されてモデム７で変調され、ＮＣＵ８からＰＳＴＮを通して通信相手先に送信される。また、ファクシミリ受信時には、受信した画像データがモデム７で復調され、メモリコントローラ４を介して画像メモリ５に蓄積された後、コーデック６で復号されてプリンタ１４により印刷される。
【００２０】
また、操作パネルの音声案内キー２５が押下された場合、ＭＰＵ１は、その時点の動作モードにおける操作段階に応じた音声ガイダンスメッセージの再生を音声合成モジュール１７に指示する。さらに、デジタル複合機にエラーが生じた場合には、ＭＰＵ１は、当該エラーに対応した音声ガイダンスメッセージの再生を音声合成モジュール１７に指示する。
【００２１】
一方、このデジタル複合機では、液晶表示器１１上での左から右（または右から左）への指の直線的なスライド、あるいは、円弧を描くことにより動作モードの切替え、あるいは、表示画面の輝度調整、音声案内の音量調整等を実行できる。
【００２２】
例えば、図３に示すように、液晶表示器１１にコピーモードの操作画面が表示されている状態で、図４に示すように、液晶表示器上で指を左から右へ（または右から左へ）直線的になぞることによって、コピーモードからファクシミリモードまたはスキャナモードへの切り替えができる。
【００２３】
すなわち、図５に示すように、液晶表示器１１上で指を左から右へ直線的になぞった場合には、コピーモード→ファクシミリモード→スキャナモードの順序で、順次、動作モードを切り替えできる。また、液晶表示器１１上で指を右から左へ直線的になぞった場合には、コピーモード→スキャンモード→ファクシミリモードの順序で、順次、動作モードを切り替えできる。なお、この動作モードを認識するためのモードパラメータｍがＳＲＡＭ３に記憶されており、ＭＰＵ１は、ｍ＝０のとき、コピーモード、ｍ＝１のとき、ファクシミリモード、ｍ＝２のとき、スキャナモードに設定する。
【００２４】
また、図６に示すように、液晶表示器１１上で円弧を描くことにより、表示画面の輝度や音声案内の音量を調整できる。例えば、音声案内がアクティブになっていない時には、円弧の回転方向に応じて表示画面の輝度を１段階アップまたはダウンさせ、音声案内がアクティブになっている時には、円弧の回転方向に応じて音量を１段階アップまたはダウンさせる。
【００２５】
次に、上記のように、液晶表示器１１上でユーザが指で操作した場合のＭＰＵ１の作用を図７−１、図７−２のフローチャートにより説明する。
ＭＰＵ１は、常時、図７−１、図７−２のフローチャートに示すプログラムを実行しており、このプログラムを開始すると、座標値の取込回数ｎを０にリセットしてＳＲＡＭ３に記憶する（ステップ１０１）。
【００２６】
次に、ＭＰＵ１は、ユーザがタッチパネルにタッチしているか否かを判定し（ステップ１０２）、ユーザがタッチパネルにタッチしていないと判定した場合、プログラムを終了する。また、ステップ１０２でユーザがタッチパネルにタッチしていると判定した場合、ＭＰＵ１は、ユーザがタッチしているタッチパネルの位置の座標Ｘｎ、Ｙｎを取り込んでＳＲＡＭ３に記憶する（ステップ１０３）。なお、タッチパネルの座標Ｘｎ、Ｙｎはタッチパネルの右方向（Ｘ方向）及び上方向（Ｙ方向）に座標値が増加するように設定されている。
【００２７】
次に、ＭＰＵ１は、値ｎに１を加算してＳＲＡＭ３に記憶した（ステップ１０４）後、再び、ユーザがタッチパネルにタッチしているか否かを判定する（ステップ１０５）。ユーザがタッチパネルにタッチしていると判定した場合、ステップ１０３に戻って、再び、ユーザがタッチしているタッチパネルの位置の座標Ｘｎ、Ｙｎを取り込んでＳＲＡＭ３に記憶する。
【００２８】
そして、ユーザがタッチパネルから指を離し、ステップ１０５でユーザがタッチパネルにタッチしていないと判定した場合、ＭＰＵ１は、ＳＲＡＭ３から記憶されているＸｎ、Ｙｎの値をすべて読み出す（ステップ１０６）。次に、ＭＰＵ１は、ＳＲＡＭ３に記憶している値ｎが設定値ｎ0より小さいか否かを判定する（ステップ１０７）。値ｎがｎ0より小さいと判定した場合、ユーザのタッチ時間が短いので、ＭＰＵ１は、操作ボタンへのタッチと判断し、Ｘ0、Ｙ0の座標位置に操作ボタンが表示されているか否かを判定する（ステップ１０８）。
【００２９】
Ｘ0、Ｙ0の座標位置に操作ボタンが表示されていると判定した場合、ＭＰＵ１は、その操作ボタンに対応する機能を実行し（ステップ１０９）、Ｘ0、Ｙ0の座標位置に操作ボタンが表示されていないと判定した場合、プログラムを終了する。
【００３０】
一方、ステップ１０７で値ｎがｎ0より大きいと判定した場合、ユーザのタッチ時間が長いので、ＭＰＵ１は、操作ボタンへのタッチではないと判断し、読み出したＸｎ、Ｙｎの値に基づいて、ユーザが指を右スライド移動させたか否かを判定する（ステップ１１０）。すなわち、ＭＰＵ１は、ＳＲＡＭ３から読み出したＸｎ、Ｙｎの値について、Ｙｎの値の増減が少なく、かつ、Ｘｎが増加しているか否かを判断することにより、ユーザが指を左から右へ直線的になぞったか否かを判定する。
【００３１】
ステップ１１０でユーザが指を右スライド移動させたと判定した場合、ＭＰＵ１は、モードパラメータｍに１を加算した（ステップ１１１）後、新モードパラメータｍの操作画面を液晶表示器１１に表示する（ステップ１１２）。なお、モードパラメータｍは、０、１または２であり、加算結果が３になった場合には、ｍ＝０に設定される。
これにより、その時点の動作モードがコピーモードであった場合には、ファクシミリモードに切り替わり、液晶表示器１１にファクシミリの操作画面が表示される。
【００３２】
また、ステップ１１０でユーザが指を右スライド移動させていないと判定した場合、ＭＰＵ１は、ユーザが指を左スライド移動させたか否かを判定する（ステップ１１３）。すなわち、ＭＰＵ１は、ＳＲＡＭ３から読み出したＸｎ、Ｙｎの値について、Ｙｎの値の増減が少なく、かつ、Ｘｎが減少しているか否かを判断することにより、ユーザが指を右から左へ直線的になぞったか否かを判定する。
【００３３】
ステップ１１３でユーザが指を左スライド移動させたと判定した場合、ＭＰＵ１は、モードパラメータｍから１を減算した（ステップ１１４）後、新モードパラメータｍの操作画面を液晶表示器１１に表示する（ステップ１１２）。なお、上記のように、モードパラメータｍは、０、１または２であり、減算結果が−１になった場合には、ｍ＝２に設定される。
これにより、その時点の動作モードがコピーモードであった場合には、スキャナモードに切り替わり、液晶表示器１１にスキャナの操作画面が表示される。
【００３４】
一方、ステップ１１３でユーザが指を左スライド移動させていないと判定した場合、ＭＰＵ１は、ユーザが指を右回転移動させたか否かを判定する（ステップ１１５）。すなわち、ＭＰＵ１は、ＳＲＡＭ３から読み出したＸｎ、Ｙｎの値について、「Ｘｎ：減少、Ｙｎ：増加」、「Ｘｎ：増加、Ｙｎ：増加」、「Ｘｎ：増加、Ｙｎ：減少」、「Ｘｎ：減少、Ｙｎ：減少」の状態が生じたか否かを判断する。そして、二つの状態が上記の順番で続いたか否かを判断することにより、ＭＰＵ１は、ユーザが時計回りの円弧を描いたか否かを判定する。
【００３５】
ステップ１１５でユーザが指を右回転移動させたと判定した場合、ＭＰＵ１は、その時点で音声案内を実行しているか否かを判定する（ステップ１１６）。音声案内を実行していると判定した場合、ＭＰＵ１は、音声合成モジュール１７に音量を一段階アップするように指令する（ステップ１１７）。また、音声案内を実行していないと判定した場合、ＭＰＵ１は、液晶表示器１１の表示輝度を一段階アップする（ステップ１１８）。
【００３６】
一方、ステップ１１５でユーザが指を右回転移動させていないと判定した場合、ＭＰＵ１は、ユーザが指を左回転移動させたか否かを判定する（ステップ１１９）。すなわち、ＭＰＵ１は、ＳＲＡＭ３から読み出したＸｎ、Ｙｎの値について、「Ｘｎ：増加、Ｙｎ：増加」、「Ｘｎ：減少、Ｙｎ：増加」、「Ｘｎ：減少、Ｙｎ：減少」、「Ｘｎ：増加、Ｙｎ：減少」の状態が生じたか否かを判断する。そして、二つの状態が上記の順番で続いたか否かを判断することにより、ＭＰＵ１は、ユーザが反時計回りの円弧を描いたか否かを判定する。
【００３７】
ステップ１１９でユーザが指を左回転移動させたと判定した場合、ＭＰＵ１は、その時点で音声案内を実行しているか否かを判定する（ステップ１２０）。音声案内を実行していると判定した場合、ＭＰＵ１は、音声合成モジュール１７に音量を一段階ダウンするように指令する（ステップ１２１）。また、音声案内を実行していないと判定した場合、ＭＰＵ１は、液晶表示器１１の表示輝度を一段階ダウンする（ステップ１２２）。
【００３８】
また、ステップ１１９でユーザが指を左回転移動させていないと判定した場合、ＭＰＵ１は、ユーザが長時間同じ箇所を押していたと判断してステップ１０８に移り、Ｘ0、Ｙ0の座標位置に操作ボタンが表示されているか否かを判定する。そして、Ｘ0、Ｙ0の座標位置に操作ボタンが表示されていると判定した場合、ＭＰＵ１は、その操作ボタンに対応する機能を実行し（ステップ１０９）、Ｘ0、Ｙ0の座標位置に操作ボタンが表示されていないと判定した場合、プログラムを終了する。
【００３９】
以上のように、液晶表示器上で指を左から右へ（または右から左へ）直線的になぞることによって、コピーモード、ファクシミリモード、スキャナモードの切り替えができる。このため、モード切替えに専用のスイッチをひとつずつ割り当てる必要がなく、操作パネルのスペースを有効に活用することができる。また、液晶表示器上で円弧を描くことにより、表示画面の輝度あるいは音声案内の音量を調整でき、輝度あるいは音量をアナログ的な感覚で調整することが可能となる。
【００４０】
なお、上記の実施例では、液晶表示器上での指の左右へのスライドによって動作モードを切り替えたが、円弧を描くことにより動作モードを切り替え、表示画面の輝度あるいは音声案内の音量を指の左または右スライドにより調整することもできる。
【００４１】
また、上記の実施例では、液晶表示器上での指の左右へのスライドまたは円弧を描くことにより設定を変更するようにしたが、上下方向での指のスライドや、斜め方向での指のスライドによって設定を変更することもできる。
【図面の簡単な説明】
【００４２】
【図１】本発明の画像処理装置を適用したデジタル複合機のハードウェア構成を示す概略ブロック図である。
【図２】本発明の画像処理装置の操作パネルを示す図である。
【図３】液晶表示器に表示されるコピーモードの操作画面の一例である。
【図４】液晶表示器上で指をスライドさせている状態を示す図である。
【図５】指のスライドにより動作モードが切り替えられる状態を説明するための図である。
【図６】液晶表示器上で円弧を描いている状態を示す図である。
【図７−１】ユーザが指による操作を行う場合のＭＰＵの作用を示すフローチャートである。
【図７−２】ユーザが指による操作を行う場合のＭＰＵの作用を示すフローチャートである。
【図８】従来の画像処理装置の操作パネルを示す図である。
【符号の説明】
【００４３】
１  ＭＰＵ
２  ＲＯＭ
３  ＳＲＡＭ
４  メモリコントローラ
５  画像メモリ
６  コーデック
７  モデム
８  ＮＣＵ
９  スキャナ
１０  操作パネル制御部
１１  液晶表示器
１２  タッチパネル
１３  キーマトリクス
１４  プリンタ
１５  ＬＡＮ  Ｉ／Ｆ
１６  バス
１７  音声合成モジュール
１８  シリアルバス
【図１】
2010009365.tif 000003
【図２】
2010009365.tif 000004
【図３】
2010009365.tif 000005
【図４】
2010009365.tif 000006
【図５】
2010009365.tif 000007
【図６】
2010009365.tif 000008
【図７−１】
2010009365.tif 000009
【図７−２】
2010009365.tif 000010
【図８】
2010009365.tif 000011